(57)【要約】【課題】酒類等の容器に付するラベルであって、その裏部にメッセージカード、写真や名刺等の薄状物を挿入することができる容器用ラベル及びラベルを貼付した容器を提供する。【解決手段】ラベル１は、その左右端部と下端部に接着材等を塗布した凹型の貼付部３を介して容器２の胴体部分に貼付され、ラベル１と容器２の間には、上部開口した挿入口５から紙片等の挿入することができる程度の収納部４が形成されている。ラベル１と容器２の間に設けられた収納部４に対し、写真Ｐ、カードＣあるいは名刺Ｅの文字、図柄等の描かれた表示側を容器２側に向けて、挿入口５から差し込む。容器２は透明あるいは半透明で構成されているため、収納部４に挿入された写真Ｐ、カードＣあるいは名刺Ｅは、容器２の反対側から容器２及び内部に充填された液体を通して見ることが可能である。【選択図】　図１
2004115032.tif 000002
【特許請求の範囲】
【請求項１】
容器表面に貼付される容器用ラベルであって、
前記容器用ラベル貼付時には、前記容器用ラベルと容器との間に薄状物を挿入することができる収納部が形成されるように、前記容器用ラベル周縁に貼付部が設けられていることを特徴とする容器用ラベル。
【請求項２】
前記ラベルは透明あるいは半透明の材料からなることを特徴とする請求項１記載の容器用ラベル。
【請求項３】
前記貼付部は、前記ラベルの左右端部と下端部に凹型に接着材等を塗布してなることを特徴とする請求項１又は２記載の容器用ラベル。
【請求項４】
表面に容器用ラベルが貼付され、前記容器用ラベルと容器との間に、薄状物を挿入することができる収納部が設けられていることを特徴とするラベルを貼付した容器。
【請求項５】
前記容器は透明あるいは半透明の材料からなることを特徴とする請求項３記載のラベルを貼付した容器。
【請求項６】
前記容器内部には、透明又は半透明の液体が充填されていることを特徴とする請求項４又は５に記載のラベルを貼付した容器。
【発明の詳細な説明】
【０００１】
【発明の属する技術分野】
本発明は、酒瓶等に付する容器用ラベル及びラベルを貼付した容器に係り、特に、容器に施された装飾効果を失うことなく、需要喚起が望め、自他商品の識別も可能な容器用ラベル及びラベルを貼付した容器に関する。
【０００２】
【従来の技術】
従来から、酒瓶等に付されるラベルは、他商品との差別化を図るべく、単に自他商品の識別標識として用いるだけでなく、様々な工夫により商品の清涼感や清澄感を抱かせ需要者の購買意欲を高めるようなものが提案されている。
【０００３】
例えば、特許文献１では、図４に示すように、透明容器１１にラベル１２を貼付する前に、ラベル１２の適当な位置に商品イメージに沿った形の窓１３を打抜き、容器１１にラベル１２を貼付した場合に窓１３の対面位置のラベル１２裏面１４に別段意匠を表示するように構成したものが開示されている。この容器１１を、窓１３を通して覗くと、容器中の透明液体がレンズ状となり、前記商品イメージが幻想的現出されるというものであり、これにより、需要者の興味を引き、購買意欲を創出するものである。
【０００４】
また、特許文献２では、図５に示すように、容器２１に通常用いられるラベル２２を貼付した上に、透視可能なホログラム加工が施されたラベル２３を貼付したものが開示されている。このようなラベル２３を用いることによって、下地のラベル２２を隠蔽することない上にホログラム画像に需要者の興味を引き、需要喚起するものである。
【０００５】
【特許文献１】
特開平１１−２３１７８６号公報
【特許文献２】
特開２００１−５３９０号公報
【０００６】
【発明が解決しようとする課題】
ところで、酒類および飲料水のボトルは単に飲用を目的として購入されるのみではなく、贈答品あるいは土産物として購入されることも頻繁である。例えば、誕生日プレゼントや結婚祝い等で送る場合には、送る相手に対して、メッセージや記念の写真を酒類と共に付すことがある。
【０００７】
また、日本酒、ワイン、ウイスキー等の酒類にあっては、通常ボトル一本を一時に消費してしまうものではない。このため、飲食店等においては、こうしたボトルを顧客の所有物として一定期間保管する、いわゆるボトルをキープする慣行がある。
【０００８】
このような場合、上記の従来技術に用いられる容器では、メッセージや写真、ボトルの所有者の表示は、ボトルの容器表面やラベルに直接記載されるか、あるいは貼り付けたり、札を吊り下げたりしてなされる。しかしながら、ボトル表面に直接何かを記したり、外部に吊り下げたりするのでは、上述したような容器に施された装飾効果を失うこととなり、需要喚起が望めないばかりか、容器のラベルに施された商品名等がこの記載や札に覆われて、自他商品の識別さえもできなくなることも考え得る。
【０００９】
本発明は前記のような従来技術の問題点を解決するために提案されたもので、酒類等の容器用ラベル及びラベルを貼付した容器であって、容器に施された装飾効果を失うことなく、需要喚起が望め、自他商品の識別も可能な容器用ラベル及びラベルを貼付した容器を提供しようとするものである。
【００１０】
【課題を解決するための手段】
上記目的を達成するため、請求項１記載の容器用ラベルは、容器表面に貼付される容器用ラベルであって、前記容器用ラベル貼付時には、前記容器用ラベルと容器との間に薄状物を挿入することができる収納部が形成されるように、前記容器用ラベル周縁に貼付部が設けられていることを特徴とする。
【００１１】
以上のような請求項１記載の発明では、収納部に、写真、カードあるいは名刺等の薄状物を挿入でき、それを容器のラベルと反対側から認識可能であるため、メッセージや写真等を、容器の表面やラベルに直接記載したり、あるいは貼り付けたりする必要がなく、例えば、結婚式の記念写真、誕生日のお祝いカード、出産報告の写真を挿入して贈答したり、観光地からの土産として写真を挿入して送るなど記念品や贈答品として多目的に活用することができるようになる。
【００１２】
また、収納部に自己の名刺や写真を挿入することができるため、例えば、飲食店等において、顧客の酒類を保管する場合に、例えば、札を吊り下げたりする必要がなく、ラベルに施された商品表示やデザインの妨害にならず、ラベルの需要喚起効果や自他商品の識別効果を保つことができる。
【００１３】
請求項２記載の容器用ラベルは、請求項１記載の発明において、前記ラベルは透明あるいは半透明の材料からなることを特徴とする。以上のような請求項２記載の発明では、ラベルが透明あるいは半透明で構成されているため、収納部に薄状物を挿入した場合、当該薄状物の両面又は片面に描かれた文字、デザインを、ラベル表面と裏面両方から認識できるため、例えば、表面に文字が記され、裏面に写真を用いた薄状物を挿入するなど、請求項１の効果に加えさらに多目的に活用することができる容器用ラベルを提供することができるようになる。
【００１４】
請求項３記載のラベルを貼付した容器は、請求項１又は２記載の発明において、前記収納部は、前記ラベルが左右端部と下端部に凹型に接着材等を塗布した貼付部を介して容器の胴体部分に貼付されていることを特徴とする。以上のような請求項３記載の発明では、収納部に挿入された写真、カードあるいは名刺は、ラベルの裏面と容器の外周面とによって保持されているため、手によって引き出さなければ、たとえ容器を上下反対にしたとしても、収納部から抜け落ちることはない。
【００１５】
請求項４記載の発明ラベルを貼付した容器は、表面に容器用ラベルが貼付され、前記容器用ラベルと容器との間に、薄状物を挿入することができる収納部が設けられていることを特徴とする。以上のような請求項４記載の発明では、収納部に収納された写真やメッセージを、収納することができるため、請求項１の発明と同様、それを容器のラベルと反対側から認識可能であり、メッセージや写真等を、容器の表面やラベルに直接記載したり、あるいは貼り付けたりする必要がない。また、収納部に自己の名刺や写真を挿入することができるため、例えば、飲食店等において、顧客の酒類を保管する場合に、例えば、札を吊り下げたりする必要がなく、ラベルに施された商品表示やデザインの妨害にならず、ラベルの需要喚起効果や自他商品の識別効果を保つことができる。
【００１６】
請求項５記載のラベルを貼付した容器は、請求項４記載の発明において、透明あるいは半透明の材料からなることを特徴とする。以上のような請求項５記載の発明では、収納部に収納された写真やメッセージを、透明あるいは半透明の容器を通して認識することができ、さらに容器の球面形状によって光が反射、屈折し、幻想的な映像や文字として創出することができる。
【００１７】
請求項６記載のラベルを貼付した容器は、請求項３又は４記載の発明において、前記容器内部には、透明又は半透明の液体が充填されていることを特徴とする。以上のような請求項４記載の発明によれば、収納部に収納された写真やメッセージは、容器内部に充填された透明あるいは半透明の液体を通して認識することができ、容器の球面形状と液体によって光が反射、屈折するため、請求項３の発明に加えさらに幻想的な映像や文字として創出することができる。
【００１８】
【発明の実施の形態】
次に、本発明の実施の形態について図１及び図２を参照して具体的に説明する。なお、本実施の形態における図面の縮尺は、説明の便宜上模式的に表したものであり、実際のものとは異なるものである。また、特許請求の範囲中、薄状物の一例として、写真、カード及び名刺を用いるが、収納部に納まるものであれば、その種類は問わない。
【００１９】
〔実施の形態の構成〕
本実施の形態にかかるラベル１は、図１に示すように、その左右端部と下端部に接着材等を塗布した凹型の貼付部３を介して容器２の胴体部分に貼付され、ラベル１と容器２の間には、上部開口した挿入口５から紙片等の挿入することができる程度の収納部４が形成されている。
【００２０】
このラベル１の表面及び裏面には商品名あるいはデザイン（ここでは「酒」とした。）が施され、また、容器２は、透明あるいは半透明のガラス素材あるいはプラスティック等の樹脂からできており、内部には透明または半透明の飲用液体が充填されている。したがって、ラベル１裏面のデザインは、容器２のラベル１を貼付した側とは反対側の矢印Ａ方向から容器２及び内部に充填された液体を通して見ることができるようになっている。
【００２１】
〔実施の形態の作用効果〕
以上のような構成からなる容器２に貼付されたラベル１及びラベル１を貼付した容器を用いると、具体的に次に示すようなことが可能となる。
【００２２】
すなわち、ラベル１と容器２の間に設けられた収納部４に対し、図２に示すような、例えば、写真Ｐ、カードＣあるいは名刺Ｅの文字、図柄等の描かれた表示側を容器２側に向けて、挿入口５から差し込む。容器２は上述の通り透明あるいは半透明で構成されているため、収納部４に挿入された写真Ｐ、カードＣあるいは名刺Ｅは、容器２の反対側から矢印方向から容器２及び内部に充填された液体を通して見ることが可能である。また、挿入された写真Ｐ、カードＣあるいは名刺Ｅは、ラベル１の裏面と容器２の外周面とによって保持されているため、手によって引き出さなければ、たとえ容器２を上下反対にしたとしても、収納部４から抜け落ちることはない。
【００２３】
このように、収納部４に、写真Ｐ、カードＣあるいは名刺Ｅ等の紙片を挿入でき、それを容器２のラベルと反対側から認識可能であるため、メッセージや写真等を、容器２の表面やラベル１に直接記載したり、あるいは貼り付けたりする必要がなく、例えば、結婚式の記念写真、誕生日のお祝いカード、出産報告の写真を挿入して贈答したり、観光地からの土産として写真を挿入して送るなど記念品や贈答品として多目的に活用することができるようになる。
【００２４】
また、このような写真やメッセージは、容器２内部に充填された液体を通して認識されるため、容器２の球面形状と液体によって光が反射、屈折し、幻想的な映像や文字を創出する。
【００２５】
さらに、収納部４に自己の名刺Ｅや写真Ｐを挿入することができるため、例えば、飲食店等において、顧客の酒類を保管する場合に、例えば、札を吊り下げたりする必要がなく、ラベル１に施された商品表示やデザインの妨害にならず、ラベルの需要喚起効果や自他商品の識別効果を保つことができる。
【００２６】
〔他の実施の形態〕
本発明は、上記のような実施の形態に限定されるものではなく、発明の要旨を変更しない範囲において適宜変更可能である。例えば、貼付部３を本実施の形態においては、凹型としたが、図３（ａ）に示すように、この形状に代えて、ラベル１の上端部と下端部のみに平行に貼付部６を形成したり、あるいは図３（ｂ）に示すように、左右端部のみに貼付部７を形成することも可能である。このようにすることで、収納部に挿入するカードが横長の場合や縦長の場合に適宜対応できるようになる。
【００２７】
また、上記実施の形態では、ラベル１の表面にデザインを施した非透明性の部材を用いたが、このラベルは、このような構成に限定されるものでなく、例えば、透明あるいは半透明のシートによって構成し、その表面に商品名、商標又は製造元名等を記載することも可能である。こうすることで、収納部に薄状物を挿入した場合、当該薄状物の両面又は片面に描かれた文字、デザインを、ラベル表面と裏面両方から認識できるため、例えば、表面に文字が記され、裏面に写真を用いた薄状物を挿入するなど、さらに多目的に活用することができる容器用ラベルを提供することができると共に、ラベルに施された商品名等の妨害にならず、ラベルの需要喚起効果や自他商品の識別効果を保つことも可能である。
【００２８】
さらに、本発明におけるラベルは、記念品、贈答品及び保管品としての酒類の容器に貼付されるだけでなく、例えば、清涼飲料水のペットボトル等に貼付し、いわゆるノベルティー商品を挿入して販売する場合、または、料理の調味料の容器に貼付し、調理例を記したレシピカード等を挿入して販売する場合等、あらゆる容器に様々な態様で用いることが可能である。
【００２９】
【発明の効果】
以上説明したように、本発明によれば、酒類等の容器用ラベル及びラベルを貼付した容器であって、容器に施された装飾効果を失うことなく、需要喚起が望め、自他商品の識別も可能な容器用ラベル及びラベルを貼付した容器を提供することができる。
【図面の簡単な説明】
【図１】本発明の実施の形態に係る容器用ラベルの全体構成を示す図。
【図２】本発明の実施の形態に係る容器用ラベルに紙片を挿入した様子を示す図。
【図３】本発明の他の実施の形態に係る貼付部の構成を表す図。
【図４】従来の容器用ラベルを示す図。
【図５】従来の容器用ラベルを示す図。
【符号の説明】
１、１２、２２、２３…ラベル
２、１１、２１、…容器
３、６、７…貼付部
４…収納部
５…挿入口
１３…窓
Ｃ…カード
Ｅ…名刺
Ｐ…写真
【図１】
2004115032.tif 000003
【図２】
2004115032.tif 000004
【図３】
2004115032.tif 000005
【図４】
2004115032.tif 000006
【図５】
2004115032.tif 000007